(57)【要約】  本発明は、輸送機関のためのシート５に関する。シート５は、座面２およびアームレスト７を含み、大人位置および子供位置に位置する。シート５は、アームレスト７に加え、子供アームレスト２３を有する点に特徴がある。大人位置では、子供アームレスト２３は収納位置とされる。子供位置では、子供アームレストは使用位置とされる。子供アームレスト２３は、使用位置において、座面２に対する垂直方向の間隔が小さく、対向するアームレスト７に対する水平方向の間隔も小さい。子供位置において、本発明のシートは、２〜１０歳の子供向けに設計されている。
2010540330.tif 000002
【特許請求の範囲】
【請求項１】
座面(２)、アームレスト(７)、および当該アームレストに加えて子供アームレスト(２３)を含む、輸送機関のためのシートであって、当該シートは、子供位置および大人位置とされることが可能で、
大人位置では子供アームレスト(２３)が収納位置に、子供位置では子供アームレスト(２３)が使用位置に、それぞれ位置し、
子供アームレスト(２３)は、使用位置において、座面(２)に対する垂直方向の間隔が小さく、対向するアームレスト(２３)に対する水平方向の間隔も小さく、
子供アームレスト(２３)が収納位置において、アームレスト(７)の外形内に収まる点に特徴を有する、シート。
【請求項２】
２つのアームレスト(７)と２つの子供アームレスト(２３)を含む点に特徴を有する、請求項１記載のシート。
【請求項３】
子供アームレスト(２３)がアーム支持面(２４)を含み、上記収納位置では、当該アーム支持面(２４)が実質的に垂直方向を向く点に特徴を有する、請求項１または２記載のシート。
【請求項４】
子供アームレスト(２３)は、軸(２５)を中心としてアームレスト(７)と平行に回動することにより、上記収納位置と使用位置を行き来する点に特徴を有する、請求項１〜３のいずれか１つに記載のシート。
【請求項５】
子供アームレスト(２３)を上記収納位置に保持するために、金属要素（２７）と協働するマグネット(２６)が設けられている点に特徴を有する、請求項１〜４のいずれか１つに記載のシート。
【請求項６】
金属要素(２７)からマグネット(２６)を離すために、上記収納位置と使用位置の間にある中間位置へと子供アームレスト(２３)が移動される点に特徴を有する、請求項５記載のシート。
【請求項７】
座面(２)の長さが調節可能である点に特徴を有する、請求項１〜６のいずれか１つに記載のシート。
【請求項８】
上記座面が複数のセグメント(８、９、１０、１１)を含んでいて、当該セグメント(８、９、１０、１１)が互いに相対的に可動である点に特徴を有する、請求項７記載のシート。
【請求項９】
上記セグメントの１つ(８、９、１０)が、座面を横切る方向に位置決めされた軸を中心として回動可能である点に特徴を有する、請求項８記載のシート。
【請求項１０】
脚サポート(１６)を含み、座面(２)と脚サポート(１６)の垂直方向の間隔が調節可能である点に特徴を有する、請求項１〜９のいずれか１つに記載のシート。
【請求項１１】
脚サポート(１６)が水平方向に調節可能である点に特徴を有する、請求項１０記載のシート。
【請求項１２】
請求項１〜７のいずれか１つに記載の第１シート(５)と、その側方に隣接して配置された第２シート(６)とを含み、第２シート(６)は従来の輸送機関のシートである点に特徴を有する、シート配列。
【請求項１３】
リボードシートを備える第３シートを含み、横方向において第２シート(６)は第１シート(５)と第３シートの間に配置される点に特徴を有する、請求項１２記載のシート配列。
【発明の詳細な説明】
【技術分野】
【０００１】
本発明は、輸送機関、特に航空機のためのシートに関する。シートは、座面、アームレスト、および当該アームレストに加えて子供アームレストを含んでいて、子供位置および大人位置とされることが可能である。大人位置では子供アームレストが収納位置に、子供位置では子供アームレストが使用位置に、それぞれ位置する。子供アームレストは、使用位置において、座面に対する垂直方向の間隔が小さく、対向するアームレストに対する水平方向の間隔も小さい。
大人位置では、大人がシートに快適に座ることができ、子供位置では、子供が快適となるよう設計されている。
【背景技術】
【０００２】
米国２００６/００５５２２８Ａ１にシートが開示されており、そこでは、様々なサイズのＵ字型フレームが折り畳まれ、バックレストを超えて延在する。ＤＥ２０１ １１ ９７０Ｕ１に開示されたシートでは、Ｕ字型フレームが回動して、アームレストを超えて横断方向に延在する。
【０００３】
別の知られているシートでは、子供位置は、２歳までの小さな子供をリボードシート（reboard seat）へ運ぶことを意図したものである。子供位置では、リボードシートが所定位置に移動し、通常の着席方向とは反対を向いて、小さな子供がこのリボードシートに収容される
このタイプのリボードシートは、小さな子供にだけ適している。２歳を越える子供は、リボードシートには収容できない。
【発明の概要】
【発明が解決しようとする課題】
【０００４】
本発明の目的は、上述のタイプのシートであって、子供位置が２歳を超える子供に適したものを提案することである。この目的は、請求項１に記載した特徴により達成される。有利な具体的形態は、従属請求項に規定している。
【課題を解決するための手段および発明の効果】
【０００５】
本発明によれば、子供アームレストは、収納位置において、アームレストの外形内に収まる。
【０００６】
最初に、いくつかの用語について説明する。シートは、アームレストに加えて子供アームレストを備え、その場合、子供アームレストのアーム支持面は、アームレストのアーム支持面とは異なる。
子供アームレストは、アームレストの外形内に収まり、その場合、子供アームレストは、アームレストのアーム支持面を超えて、実質的に横方向に突出しない。
２つのアームレストが互いに対向している場合、シートの座面は、２つのアームレスト間に位置する。
【０００７】
使用位置において、子供アームレストは、座面および対向するアームレストに対して、その間隔が小さくされている。これは、各場合において、アームレストのアーム支持面の場合と比較して小さいということである。
座面および対向するアームレストからの間隔が小さいことによって、子供は、快適に、子供アームレストのアーム支持面に腕を置くことができる。
【０００８】
快適な着席のためには、１個のアームレストだけでは十分ではない。しかし、その代りに、アームレストは、シートの両側に配置されるべきである。このことは、複数のシートを使うことで達成される。個々のシートだけを見ると、アームレストは１つだけである。しかし、複数のシートを隣接して配置すると、１つのアームレストを両側のシートから利用できる。
しかしながら、各シートがそれぞれ、自身のアームレストを両側に備えるならば、換言すると、１つのシートが、アームレストを２つと、子供アームレストを２つ備えるなら、より快適である。
【０００９】
使用位置では、子供アームレストのアーム支持面は実質的に水平に位置するので、子供は、アーム支持面に上方から腕を載せることができる。子供アームレストを使用位置から収納位置へ移動させるための、別の機構が考えられる。このように、ガイド面に沿って、子供アームレストをアームレスト内に挿入することが可能であって、その際、子供アームレストの姿勢は実質的に維持される。このようにして、子供アームレストはアームレストの外形内に収まるが、アームレストが十分な幅を有することが必要である。
特に、狭い幅のアームレストでは、子供アームレストは、収納位置においてそのアーム支持面が実質的に垂直に位置するように配置する。
収納位置と使用位置を交互に行き来するとき、子供アームレストは、軸を中心としてアームレストと平行に回動する。好ましくは、子供アームレストは、使用位置から収納位置へと上方に向かって回動し、その結果、子供アームレストのアーム支持面は、アームレスト内で収納位置に位置する。
子供アームレストのアーム支持面とは反対側の下面は、視覚的な意味合いにおいて、収納位置にはアームレストと完全に一体化するように設計されてもよい。また、本発明においては、回転機構とスライド機構の組合せを採用してもよい。
【００１０】
輸送機関が乱気流に巻き込まれたときに、子供アームレストを安全に収納位置に保持する保持機構を提供してもよい。この保持機構は、例えば、子供アームレストに接続された要素が、アームレストのアンダーカット部分に係合するものであってもよい。
有利な具体例として、金属要素と協働するマグネットが、子供アームレストを収納位置に保持するために提供される。このような閉止機構には、事実上、摩耗が生じない。収納位置から子供アームレストを離すために、磁力を克服しなければならない。追加的に、収納位置において操作者が直接操作できるハンドルを、子供アームレストに設けてもよい。
それは視覚的により目につき易いが、収納位置では、できるだけ平坦な面をもって子供アームレストがアームレストに挿入される。
しかしながら、マグネットを離すのを可能とするために、収納位置と使用位置の間の中間位置へ、子供アームレストが最初に移動させられ、その中間位置において、子供アームレストが後方から掴まれる。収納位置と中間位置を交互に行き来するために、子供アームレストの下側に作用する圧力によって両方向に操作可能な機構部が提供されてもよい。
【００１１】
座面の長さが子供のサイズに適合可能であるならば、子供にとっての着席時の心地良さはさらに改善されるであろう。座面の長さは、通常の着座位置において、足の膝上部分が延びる方向と関連する。シートクッションが固定寸法のものであっても、座面の長さは調整可能とできる。この場合、シートクッションは、シートのバックレストに対して相対的に移動可能とする。
【００１２】
また、座面の後部セグメントの配置を、バックレストに対して相対的に固定された位置とすることも可能である。したがって、座面は、さらに別のセグメントを含む。各セグメントは互いに相対的に移動可能であって、その結果、座面の長さを変更できる。例えば、各セグメントは、座面に平行に相対移動可能なものであってもよい。また、１つのセグメントを、座面を横切る方向に配置された軸を中心として、座面から遠ざかる方向に回動可能に構成してもよい。
複数工程で座面の長さを調整可能とするために、個々にまたは一体となって、座面から遠ざかる方向に回動可能な複数のセグメントを設けてもよい。
【００１３】
座面と床の間の垂直方向距離は、大人が床に足を快適に置くことができるように決定される。子供位置に関連して、座面からの距離がより小さな脚サポートを設けてもよい。座面と脚サポートの間隔を調節可能としてもよい。異なる長さの座面に脚サポートを適応可能とするために、脚サポートの水平方向位置を調節可能としてもよい。
垂直方向および水平方向における調整可能性は、独立であっても、リンクしていてもよい。大人位置において、使用者である大人が床の座面前方の床に足を置いても、干渉しないように脚サポートは配置される。
【００１４】
本発明のシートは、例えば、航空機、バス、または列車内で使用できる。
【００１５】
旅行中に子供の世話ができるように、大人向けに設計された従来のシートに隣接して、本発明のシートを配置すれば有利である。従来のシートとは反対側に、大人位置と子供位置を選択可能に設計された第３シートを配置してもよい。そして、外側の２つのシートを子供位置としてもよい。中央に座る大人は、外側のシートに座る２人の子供を世話することができる。
第３シートも本発明のシートとしてもよい。しかし、第３シートは、子供位置において２歳未満の小さな子供にリボードシートを提供するタイプのシートであってもよい。このようなシート配列は、よく見られる、１人の大人が２人の子供と一緒に旅行する場合を想定して設計されている。
【００１６】
より大きな航空機において、４つシートをグループとして配列されることが多い。これは、両親と２人の子供を想定したものである。この場合、４つのシートのうちの２つが、大人位置に加えて子供位置も利用できるものであれば有利である。両親のためのシートは子供のためのシートの間に配列されてもよいが、他の配列もまた可能である。
【００１７】
例示としての有利な具体例を示す添付の図面を参照して、本発明をさらに説明する。
【図面の簡単な説明】
【００１８】
【図１】本発明のシートおよび従来のシートを含むシートアレンジを示す図。
【図２】子供アームレスト（収納位置にある）を備えたアームレストを示す図。
【図３】子供アームレスト（使用位置にある）を備えたアームレストを示す図。
【図４】図２のアームレストを側方から示す図。
【図５】本発明のシートを、大人位置にある状態で示す図。
【図６】図５のシートを、様々な子供位置にある状態で示す図。
【図７】図５のシートを、様々な子供位置にある状態で示す図。
【図８】図５のシートを、様々な子供位置にある状態で示す図。
【発明を実施するための形態】
【００１９】
図１中のシート５、６は、基本フレーム１を備え、当該フレームによって航空機のキャビン床に固定される。各シートは、座面２およびバックレスト３を備える。バックレスト３は、公知の方法で、座面２に対する傾斜を調節することができる。
シート６は、大人が快適に座れるよう寸法設定された従来のシートである。シート５は、本発明のシートであって、子供位置の状態にある。
【００２０】
各場合において、シート５は、アームレスト７および子供アームレスト２３を両側に備える。シート５に座る子供は、子供アームレスト２３の支持面２４に腕を載せる。子供の足は、脚サポート１６に載せられる。シート５の座面２を短くして、子供の膝上寸法に適合させることができる。
シート５を大人位置へと移動させるには、子供アームレスト２３をアームレスト７の外形内に収まるよう上方へ回動させ、脚サポート１６を後方へと回動させ、座面２を最大長にまで延ばす。
【００２１】
収納位置において、図２の子供アームレスト２３は、アームレスト７の外形内に収まっている。したがって、子供アームレスト２３は、実質上、アームレスト７のアーム支持面７１を越えて横方向に突出しない。
子供アームレスト２３は、軸２５を中心として回動し、図３に示した使用位置まで移動する。使用位置では、子供は、アーム支持面２４上に腕を置く。
【００２２】
子供アームレスト２３は、金属部分２７と協働するマグネット２６によって収納位置に保持される。金属部分２７は、２つの位置を採りうる機構部２８に取り付けられている。図２に示した位置において、機構部２８は、子供アームレスト２３の端部がアームレスト７と面一になるように、子供アームレスト２３を保持する。
図３に示した位置において、機構部２８は、子供アームレスト２３を中間位置に保持して、後方から掴むことで、マグネット２６を金属部分２７から離す。１つの位置から別の位置へ機構部２８を移動させるために、各場合において、子供アームレスト２３を介して圧力パルスが金属部分２７に作用させられる。操作ノブ２９を操作して、シート５のバックレスト３の傾斜を変更できる。
【００２３】
図５は、本発明のシート５を大人位置にある状態で示している。座面２は完全に引き延ばされ、脚サポート１６は後方へ回動されている。身長１.７５ｍの大人がシート５に座っている。
図６〜８は、シート５を様々な子供位置にある状態で示している。シート５は、図６では身長１.１６ｍの子供のために、図７では身長１.０４ｍの子供のために、図８では身長０.９２mの子供のために、それぞれ設計されている。各サイズは、それぞれ、６歳、４歳、２歳の子供の統計的平均である。
【００２４】
座面２は、移動可能な３つのセグメント８、９、１０を含み、それぞれが個別に、またはグループで下方へ回動可能である。セグメント８、９、１０によって、複数の工程を経て、座面２の長さを調節できる。座面２の後部セグメント１１は、バックレスト３に対して相対的に固定して配置されている。
【００２５】
脚サポート１６は、湾曲したガイドレール１７に案内され、ガイドレール上の複数位置においてロックできる。脚サポート１６の位置は、水平および垂直の両方向に変更可能である。ガイドレール１７は曲率を有するので、脚サポート１６の垂直位置と水平位置はリンクしている。
大人位置では、脚サポート１６が後方へ回動するので、これに邪魔されることなく、大人は、床に足を置くことができる。
【図１】
2010540330.tif 000003
【図２】
2010540330.tif 000004
【図３】
2010540330.tif 000005
【図４】
2010540330.tif 000006
【図５】
2010540330.tif 000007
【図６】
2010540330.tif 000008
【図７】
2010540330.tif 000009
【図８】
2010540330.tif 000010
【国際調査報告】
2010540330.tif 000011
2010540330.tif 000012
2010540330.tif 000013
2010540330.tif 000014
2010540330.tif 000015
2010540330.tif 000016